(57)【要約】      （修正有）【課題】安全な作業ができ、時間も短縮することができる電動モンキースパナを提供する。【解決手段】電動モンキースパナにおいて、（１）ＵＳＢ充電機で電動モンキースパナの本体２の内部にあるバッテリーを充電し、（２）そのバッテリーはこれに繋がっているモーターを動かし、（３）そのモーターは本体２とヘッド部分１との中間にある中間ギヤに動力を伝え、（４）その中間ギヤはヘッド部分１にある複数の多角形のギヤに動力を伝え、（５）その複数の多角形のギヤは左右に同じ方向で回転しながらネジを締めたり緩めたりできる。【選択図】図１
0003209377.tif 000002
【実用新案登録請求の範囲】
【請求項１】
ＵＳＢ充電機で本体の内部にあるバッテリーを充電する。
そして繋がっているモーターを動かして、そのモーターは本体とヘットの中間ギヤを動かしてヘット部分に動力を伝えて複数の多角形のギヤが左右に同じ方向で回転しながらネジを締めたり緩めたりできる電動モンキースパナ。
動作ボタンでへっとの部分が広げたり縮めたり調節ができる。
コンプレッサーにも繋いで動作ボタンでより強く左右に同じ方向で回転しながらネジを締めたり緩めたりできる電動モンキースパナ。
そして作業中にはＬＥＤが光って便利性と安全性を確保する。
【考案の詳細な説明】
【技術分野】
【０００１】  本考案は、作業の利便性と安全性を考慮した電動モンキースパナに関する。
【背景技術】
【０００２】  従来の電動レンチは、ボルトの上にセットをする物があり、また、スパナについては、ボルトの横から差し込み、手動の物がある。
【先行技術文献】
【特許文献】
【０００３】  しかしながら、従来の電動レンチは、ボルトの上にセットをする物で、横からはセットができないという欠点がある。また、スパナについては、手動しかない。
【特許文献１】特開２００３−２２０５６８
【特許文献２】特開２０１６−１０８３２
【考案の概要】
【考案が解決しようとする課題】
【０００４】  本考案は、以上のような欠点に鑑み、電動レンチとスパナを合わせた物で、ボルトの横からセットをし、自動で回す事ができる電動モンキースパナを提供することを目的としている。
【課題を解決するための手段】
【０００５】上記目的を達成するために、本考案は、ＵＳＢ充電機で本体の内部にあるバッテリーを充電する。
そして繋がっているモーターを動かして、そのモーターは本体とヘットの中間ギヤを動かしてヘット部分に動力を伝えて複数の多角形のギヤが左右に同じ方向で回転しながらネジを締めたり緩めたりできる電動モンキースパナ。
動作ボタンでへっとの部分が広げたり縮めたり調節ができる。
コンプレッサーにも繋いで動作ボタンでより強く左右に同じ方向で回転しながらネジを締めたり緩めたりできる電動モンキースパナ。
そして作業中にはＬＥＤが光って便利性と安全性を確保する。とで電動モンキースパナを構成している。
【考案の効果】
【０００６】以上の説明から明らかなように、本考案にあっては次に列挙する効果が得られる。
ＵＳＢ充電機で本体の内部にあるバッテリーを充電する。
そして繋がっているモーターを動かして、そのモーターは本体とヘットの中間ギヤを動かしてヘット部分に動力を伝えて複数の多角形のギヤが左右に同じ方向で回転しながらネジを締めたり緩めたりできる電動モンキースパナ。
動作ボタンでへっとの部分が広げたり縮めたり調節ができる。
コンプレッサーにも繋いで動作ボタンでより強く左右に同じ方向で回転しながらネジを締めたり緩めたりできる電動モンキースパナ。
そして作業中にはＬＥＤが光って便利性と安全性を確保する。
とで構成されているので、狭い箇所でも自動で作業ができる。
したがって、安全な作業ができ、時間も短縮される。
【図面の簡単な説明】
【０００７】
【図１】製品のヘッド部分と本体
【図２】正面から見た部分
【図３】製品の側面から見た部分
【図４】製品の背面から見た部分
【図５】底部
【図６】本体のスイッチ部分と動力伝達部分
【図７】ネジのセッティング部分
【考案を実施するための形態】
【０００８】以下、本考案の実施の形態を写真に基づいて説明する。
【実施例】
【０００９】図１は、本考案製品のヘッド部分および本体である。
図２は製品を正面から見た状態で、ギアでネジを回す部分と、作業の際に点灯するＬＥＤ部分である。
図３は、製品の側面から見た部分である。
図４は、製品の背面から見た部分である。
図５は、製品の底部で、ＵＳＢの差込口、充電の際に点灯するＬＥＤライト、及びストラップの取り付け部分である。
図６は、本体とヘッド（ギア）の接続部分である。
ヘッド（ギア）を動かす本体の動作ボタン部分
ヘッド（ギア）が左右方向でネジを締めたり緩めたり調節できるスイッチ部分
図７は、キャップを外した状態と、ネジを入れた状態である。
【産業上の利用可能性】
【００１０】本考案は、工具が必要とされる場面で多くの作業で利用される。
【符号の説明】
【００１１】▲１▼  製品のヘッド部分
▲２▼  製品の本体
▲３▼  ギアでネジを回す部分
▲３▼−１  ＬＥＤライト。作業中に点灯。
▲６▼  ＵＳＢ差込口。ＵＳＢまたはＡＣにて充電が可能。
▲７▼  充電中のＬＥＤ点灯部分
▲８▼  ストラップ取り付け部分
▲９▼  本体とヘッド（ギア）接続部分
▲９▼−▲１▼  ヘッド（ギア）を動かす本体の動作ボタン部分
▲９▼−▲２▼  ヘッド（ギア）がネジを締めたり緩めたり調節できるスイッチ部分
▲１０▼  キャップを外した状態
▲１１▼  ネジを入れた状態
【図１】
0003209377.tif 000003
【図２】
0003209377.tif 000004
【図３】
0003209377.tif 000005
【図４】
0003209377.tif 000006
【図５】
0003209377.tif 000007
【図６】
0003209377.tif 000008
【図７】
0003209377.tif 000009
【手続補正書】
【提出日】平成28年12月5日(2016.12.5)
【手続補正１】
【補正対象書類名】実用新案登録請求の範囲
【補正対象項目名】全文
【補正方法】変更
【補正の内容】
【実用新案登録請求の範囲】
【請求項１】
電動モンキースパナにおいて、
（１）ＵＳＢ充電機で電動モンキースパナの本体の内部にあるバッテリーを充電し、
（２）そのバッテリーはこれに繋がっているモーターを動かし、
（３）そのモーターは本体とヘッド部分との中間にある中間ギヤに動力を伝え、
（４）その中間ギヤはヘッド部分にある複数の多角形のギヤに動力を伝え、
（５）その複数の多角形のギヤは左右に同じ方向で回転しながらネジを締めたり緩めたりできる電動モンキースパナ。
【手続補正２】
【補正対象書類名】明細書
【補正対象項目名】全文
【補正方法】変更
【補正の内容】
【考案の詳細な説明】
【技術分野】
【０００１】考案は、作業の利便性と安全性を考慮した電動モンキースパナに関する。
【背景技術】
【０００２】従来の電動レンチは、ボルトの上にセットをする物があり、また、スパナについては、ボルトの横から差し込み、手動の物がある。【０００３】しかしながら、従来の電動レンチは、ボルトの上にセットをする物で、横からはセットができないという欠点がある。また、スパナについては、手動しかない。
【先行技術文献】
【特許文献】
【０００４】
【特許文献１】特開２００３−２２０５６８
【特許文献２】特開２０１６−０１０８３２
【考案の概要】
【考案が解決しようとする課題】
【０００５】本考案は、以上のような欠点に鑑み、電動レンチとスパナを合わせた物で、ボルトの横からセットをし、自動で回す事ができる電動モンキースパナを提供することを目的としている。
【課題を解決するための手段】
【０００６】上記目的を達成するために、本考案は、電動モンキースパナにおいて、
（１）ＵＳＢ充電機で電動モンキースパナの本体の内部にあるバッテリーを充電し、
（２）そのバッテリーはこれに繋がっているモーターを動かし、
（３）そのモーターは本体とヘッド部分との中間にある中間ギヤに動力を伝え、
（４）その中間ギヤはヘッド部分にある複数の多角形のギヤに動力を伝え、
（５）その複数の多角形のギヤは左右に同じ方向で回転しながらネジを締めたり緩めたりできる電動モンキースパナを提供する。【０００７】さらに、動作ボタンでヘッド部分を広げたり縮めたり調節ができる。
さらに、コンプレッサーにも繋いで動作ボタンでより強く左右に同じ方向で回転しながらネジを締めたり緩めたりできる。
さらに、作業中にはＬＥＤが光って便利性と安全性を確保する。
【考案の効果】
【０００８】以上の説明から明らかなように、本考案にあっては次に列挙する効果が得られる。
ＵＳＢ充電機で本体の内部にあるバッテリーを充電する。そして繋がっているモーターを動かして、そのモーターは本体とヘッドの中間ギヤを動かしてヘッド部分に動力を伝えて複数の多角形のギヤが左右に同じ方向で回転しながらネジを締めたり緩めたりできる。【０００９】さらに、動作ボタンでヘッド部分を広げたり縮めたり調節ができる。
さらに、コンプレッサーにも繋いで動作ボタンでより強く左右に同じ方向で回転しながらネジを締めたり緩めたりできる。
さらに、作業中にはＬＥＤが光って便利性と安全性を確保する。
したがって、狭い箇所でも自動で作業ができる。
さらに、安全な作業ができ、時間も短縮される。
【図面の簡単な説明】
【００１０】
【図１】本考案製品のヘッド部分および本体の写真。
【図２】本考案製品を正面から見た写真。
【図３】本考案製品を側面から見た写真。
【図４】本考案製品を背面から見た写真。
【図５】本考案製品を底面から見た写真。
【図６】本考案製品の本体とヘッド（ギヤ）の接続部分の写真。
【図７】本考案製品のキャップを外した状態と、ネジを入れた状態の写真。
【考案を実施するための形態】
【００１１】以下、本考案の実施の形態を図面（写真）に基づいて説明する。
図１は、本考案製品のヘッド部分および本体である。
図２は、製品を正面から見た状態で、ギヤでネジを回す部分と、作業の際に点灯するＬＥＤ部分である。
図３は、製品の側面から見た部分である。
図４は、製品の背面から見た部分である。
図５は、製品の底部で、ＵＳＢの差込口、充電の際に点灯するＬＥＤライト、及びストラップの取り付け部分である。
図６は、本体とヘッド（ギア）の接続部分で、ヘッド（ギヤ）を動かす本体の動作ボタン部分と、ヘッド（ギヤ）が左右方向でネジを締めたり緩めたり調節できるスイッチ部分を示す。
図７は、キャップを外した状態と、ネジを入れた状態である。
【産業上の利用可能性】
【００１２】本考案は、工具が必要とされる場面で多くの作業で利用される。
【符号の説明】
【００１３】１  ヘッド部分
２  本体
３  ギヤでネジを回す部分
４  作業中に点灯するＬＥＤライト
５  ＵＳＢ差込口
６  充電中のＬＥＤ点灯部分
７  ストラップ取り付け部分
８  本体とヘッド（ギヤ）との接続部分
９  ヘッド（ギヤ）を動かす本体の動作ボタン部分
１０  ヘッド（ギヤ）がネジを締めたり緩めたり調節できるスイッチ部分
１１  キャップを外した状態
１２  ネジを入れた状態
【手続補正３】
【補正対象書類名】図面
【補正対象項目名】全図
【補正方法】変更
【補正の内容】
【図１】
0003209377.tif 000010
【図２】
0003209377.tif 000011
【図３】
0003209377.tif 000012
【図４】
0003209377.tif 000013
【図５】
0003209377.tif 000014
【図６】
0003209377.tif 000015
【図７】
0003209377.tif 000016